(57)【要約】【課題】本発明は、既設の地覆コンクリートを取り壊さずに防護柵の取替え作業を行うことができる既設の橋梁用防護柵の取替え工法を提供することを目的とするものである。【解決手段】本発明は、前記地覆コンクリート２より既設の橋梁用防護柵１を取り外す工程と、前記地覆コンクリート２内に残置するアンカーボルト１０を切断する工程と、前記残置されたアンカーボルト１０の周囲にアンカーボルト設置穴７を穿孔し、新たなアンカーボルト１０Ａを硬化材によって挿入固着する工程と、アンカーボルト１０Ａに新設の支柱３Ａを締結固定して橋梁用防護柵を取り付ける工程を備える。【選択図】図２
2008223332.tif 000002
【特許請求の範囲】
【請求項１】
地覆コンクリートに埋設されたアンカーボルトに橋梁用防護柵の支柱の下端が締結固定される既設の橋梁用防護柵の取替え工法において、
前記地覆コンクリートに埋設されたアンカーボルトより既設の橋梁用防護柵の支柱を取外す工程と、
地覆コンクリートより露出するアンカーボルトと地覆コンクリートとの境界線上を切断して地覆コンクリート内に残置されるアンカーボルト上端面をモルタルにより覆設する工程と、
前記残置されたアンカーボルト周囲にアンカーボルト設置穴を穿孔する工程と、
前記地覆コンクリート上に突設するアンカーボルトに挿通可能なアンカーボルト挿通用長穴を有する新設の支柱を締結固定して橋梁用防護柵を取り付ける工程を備える
ことを特徴とする既設の橋梁用防護柵の取替え工法。
【請求項２】
地覆コンクリートに埋設されたアンカーボルトに橋梁用防護柵の支柱の下端が締結固定される既設の橋梁用防護柵の取替え工法において、
地覆コンクリートより露出するアンカーボルトと地覆コンクリートとの境界線上を切断して地覆コンクリート内に残置されるアンカーボルト上端面をモルタルにより覆設する工程と、
前記残置されたアンカーボルトの両側にアンカーボルト設置穴を穿孔する工程と、
前記アンカーボルト設置穴内にアンカーボルトを硬化材によって挿入固着する工程と、
前記アンカーボルトに挿通可能なアンカーボルト挿通用長穴を有する新設の支柱を、前記地覆コンクリート上に突設するアンカーボルトに挿通されるとともに、前記地覆コンクリートの橋梁外側へ張り出した状態で固定される支柱接合プレート上に締結固定して橋梁用防護柵を取り付ける工程を備える
ことを特徴とする既設の橋梁用防護柵の取替え工法。
【請求項３】
地覆コンクリートに埋設されたアンカーボルトに橋梁用防護柵の支柱の下端が締結固定される既設の橋梁用防護柵の取替え工法において、
地覆コンクリートより露出するアンカーボルトと地覆コンクリートとの境界線上を切断して地覆コンクリート内に残置されるアンカーボルト上端面をモルタルにより覆設する工程と、
前記地覆コンクリートの橋梁外側壁面に対してアンカーボルト設置穴を穿孔する工程と、
前記アンカーボルト設置穴内にアンカーボルトを硬化材によって挿入固着する工程と、
前記アンカーボルトに前記地覆コンクリートの橋梁外側へ併設される支柱接合プレートに開設されるアンカーボルト挿通用長穴を挿通し締結固定し、該柱接合プレート上に新設の防護柵を取り付ける工程を備える
ことを特徴とする既設の橋梁用防護柵の取替え工法。
【請求項４】
前記充填材がモルタルである
ことを特徴とする請求項１、請求項２または請求項３記載の既設の橋梁用防護柵の取替え工法。
【請求項５】
前記アンカーボルト挿通用長穴は、橋梁の長さ方向とし、かつ地覆コンクリート内の鉄筋にアンカーボルトが当接した際に、該アンカーボルトの位置をずらすことができる長さとする
ことを特徴とする請求項１、請求項２請求項３または請求項４記載の既設の橋梁用防護柵の取替え工法。
【発明の詳細な説明】
【技術分野】
【０００１】
本発明は、既設の橋梁用防護柵の取替え工法に関する。詳しくは既設橋における防護柵を取り替える際に、アンカーボルトを地覆コンクリート内に残置した状態で新たな防護柵を地覆コンクリート上に立て替える工法に係るものである。
【背景技術】
【０００２】
橋梁用防護柵は、例えば図１１に示すように、車道の路肩における地覆コンクリート１０１に埋設されたアンカーボルト１０２に、防護柵１０３のベース板１０４がナット部材１０５によって締結固定される構成のものがある（特許文献１参照。）。
【０００３】
【特許文献１】特開２００１−２３４５１５号公報
【発明の開示】
【発明が解決しようとする課題】
【０００４】
しかしながら橋梁用防護柵は風雨に晒されることによる老朽化や事故などによる破損およびアンカーボルトは、新たな防護柵の型式、あるいは錆等によって耐久性が低下し、両方とも取り替える必要が生じてくる。そこで防護柵の取り替えは、アンカーボルトとの締結を解除して防護柵を取外した後に、削岩機などによってアンカーボルト周辺の地覆コンクリートを取り壊してアンカーボルトの取り出し、新たにアンカーボルトを埋設する工法が取られているが、非常に煩雑な作業となると共に、その工事期間中には片側通行などによる長期の交通規制を行わなければならない問題が生じる。
【０００５】
また、図１２（イ）（ロ）にそれぞれ示すように、アンカーボルト１０２の露出部分を切断し、モルタル等によって修復した後に、残置されたアンカーボルト１０２が新たな防護柵１０３Ａの設置に支障をきたさない位置に新たなアンカーボルト１０２Ａを埋設して新たな防護柵１０３Ａを設置する工法があるが、残置されたアンカーボルト１０２の修復個所が目立ち美観を損なうとともに、アンカーボルトの位置がずれることにより工事が煩雑となる問題がある。
【０００６】
本発明は、以上の点に鑑みて創案されたものであって、既設の地覆コンクリートを取り壊さず、あるいはアンカーボルトの埋設位置をずらすことなく防護柵の取替え作業を行うことができる既設の橋梁用防護柵の取替え工法を提供することを目的とするものである。
【課題を解決するための手段】
【０００７】
上記の目的を達成するために、本発明に係る既設の橋梁用防護柵の取替え工法は、地覆コンクリートに埋設されたアンカーボルトに橋梁用防護柵の支柱の下端が締結固定される既設の橋梁用防護柵の取替え工法において、前記地覆コンクリートに埋設されたアンカーボルトより既設の橋梁用防護柵の支柱を取外す工程と、地覆コンクリートより露出するアンカーボルトと地覆コンクリートとの境界線上を切断して地覆コンクリート内に残置されるアンカーボルト上端面をモルタルにより覆設する工程と、前記残置されたアンカーボルト周囲にアンカーボルト設置穴を穿孔する工程と、前記地覆コンクリート上に突設するアンカーボルトに挿通可能なアンカーボルト挿通用長穴を有する新設の支柱を締結固定して橋梁用防護柵を取り付ける工程を備える。
【０００８】
ここで、既設の防護柵をアンカーボルトより取り外し、残置されたアンカーボルトを切断し、該残置されたアンカーボルトの周囲に新たなアンカーボルトを設置することにより既設の地覆コンクリートを取り壊すことなく、新設の橋梁用防護柵の取替えを行うことができる。
【０００９】
また、上記の目的を達成するために、本発明に係る既設の橋梁用防護柵の取替え工法は、地覆コンクリートに埋設されたアンカーボルトに橋梁用防護柵の支柱の下端が締結固定される既設の橋梁用防護柵の取替え工法において、地覆コンクリートより露出するアンカーボルトと地覆コンクリートとの境界線上を切断して地覆コンクリート内に残置されるアンカーボルト上端面をモルタルにより覆設する工程と、前記残置されたアンカーボルトの両側にアンカーボルト設置穴を穿孔する工程と、前記アンカーボルト設置穴内にアンカーボルトを硬化材によって挿入固着する工程と、前記アンカーボルトに挿通可能なアンカーボルト挿通用長穴を有する新設の支柱を、前記地覆コンクリート上に突設するアンカーボルトに挿通されるとともに、前記地覆コンクリートの橋梁外側へ張り出した状態で固定される支柱接合プレート上に締結固定して橋梁用防護柵を取り付ける工程を備える。
【００１０】
ここで、既設の地覆コンクリート幅が狭い場合には、地覆コンクリート上に橋梁の外側へ張り出すような支柱接合プレートを取り付けることにより、新設の橋梁用防護柵の取替え施工が可能となる。
【００１１】
また、上記の目的を達成するために、本発明に係る既設の橋梁用防護柵の取替え工法は、地覆コンクリートに埋設されたアンカーボルトに橋梁用防護柵の支柱の下端が締結固定される既設の橋梁用防護柵の取替え工法において、地覆コンクリートより露出するアンカーボルトと地覆コンクリートとの境界線上を切断して地覆コンクリート内に残置されるアンカーボルト上端面をモルタルにより覆設する工程と、、前記地覆コンクリートの橋梁外側壁面に対してアンカーボルト設置穴を穿孔する工程と、前記アンカーボルト設置穴内にアンカーボルトを硬化材によって挿入固着する工程と、前記アンカーボルトに前記地覆コンクリートの橋梁外側へ併設される支柱接合プレートに開設されるアンカーボルト挿通用長穴を挿通し締結固定し、該柱接合プレート上に新設の防護柵を取り付ける工程を備える。
【００１２】
ここで、地覆コンクリート上面に防護柵を設置できない場合には、地覆コンクリートの橋梁外側の壁面に、支柱接合プレートを取り付けることにより、新設の橋梁用防護柵の取替え施工が可能となる。
【発明の効果】
【００１３】
本発明の既設の橋梁用防護柵の取替え工法は、既設の地覆コンクリートを取り壊さずに橋梁用防護柵の取替えを可能とするために、工期が短縮され、かつ新設の防護柵のみの資材となることから大幅なコスト削減が可能となる。
【００１４】
また、残置アンカーボルトを新設の防護柵によって隠すことにより美観を損なうことなく、かつ幅の狭い地覆コンクリートでは、支柱接合プレートを地覆コンクリートより張り出すように取り付けることで新設の橋梁用防護柵の取替え施工が可能となる。
【発明を実施するための最良の形態】
【００１５】
以下、本発明の実施の形態を図面を参酌しながら説明し、本発明の理解に供する。
実施例１
図１は、本発明を適用した既設の橋梁用防護柵の取替え工法における既設の防護柵の取り付け状態を示す説明図である。
【００１６】
既設の防護柵１は、道路の路肩に設けられる地覆コンクリート２上に立設された支柱３間にボルト・ナットなどの締結部材によって取り付けられる。
ここで、前記支柱３の下端にはベース板４が固着される。いっぽう、前記地覆コンクリート２には、そのネジ部が露出されたアンカーボルト１０が埋設される。そしてアンカーボルト１０が前記ベース板４の開設される貫通穴（図示せず。）に挿通されてナットなどの締結部材１９によって連結固定される。
【００１７】
そこで図２（イ）（ロ）（ハ）にそれぞれ示すように、アンカーボルト１０と支柱３の下端のベース板４との連結を解除して地覆コンクリート２上から防護柵１を取外すものである。
【００１８】
したがって、地覆コンクリート２上からアンカーボルト１０の上端部分が突出した状態となっている。この前記地覆コンクリート２より露出するアンカーボルトの地覆コンクリート２との境界線上をガスバーナーによって溶断する。この場合には、ガスバーナーによって溶断した後に、錆び止め、プライマー処理を行った後に残置されるアンカーボルト１０の上端が地覆コンクリート２上面より下部となるように切り下げるなどの作業を行い、それぞれのアンカーボルト１０上に窪み部２３を設ける。
【００１９】
次に、前記溶断されたアンカーボルト１０の上端面が露出しないように、それぞれのアンカーボルト１０の上端面に形成される窪み部２３内にモルタル１２を充填してアンカーボルト１０の上端面が露出しないように覆設する。
【００２０】
そして図３（イ）（ロ）でそれぞれ示すように、前記地覆コンクリート２内に残置されたアンカーボルト１０上に新設の防護柵を取り付けるために、前記アンカーボルト１０の周囲に新たに４個のアンカーボルト設置穴７をコンクリート穿孔ドリルによって穿孔する。
【００２１】
ここで、図４（イ）（ロ）（ハ）にそれぞれ示すように、前記アンカーボルト設置穴７内の清掃後、このアンカーボルト設置穴７内に攪拌により硬化するカプセル内に収納された樹脂製硬化剤９を挿入し、新たなアンカーボルト１０Ａを電動ハンマードリル１１等に装着し回転・打撃させ、硬化剤９を攪拌・混合しながら前記アンカーボルト設置穴７底面に到達するまで埋め込むものである。
【００２２】
次に図５および図６に示すように、新設の支柱３Ａは断面Ｈ型のダクタイル鋳鉄、あるいは鋼製、アルミニウム製、ステンレス製などにより作成され、その下端両側にはプレート板１３が延設される。このプレート板１３は通常の場合より長く形成される。
【００２３】
更に、前記プレート板１３には、前記新たなアンカーボルト１０Ａの配置状態に対応したアンカーボルト挿通用長穴１４が４個開設されている。そこで前記地覆コンクリート２に埋め込み設置した新たなアンカーボルト１０Ａに支柱３Ａのプレート板１３のアンカーボルト挿通用長穴１４を挿通する。この挿通用長穴１４は、コンクリート穿孔ドリルがコンクリート内の鉄筋に当った場合に鉄筋を切断又は損傷させないために、再度その位置を左右側にずらすことができるように地覆コンクリート２の長手方向に沿って長穴形状とされ、かつこの長穴の寸法をアンカーボルトの口径の３倍以上の長さにすることが望ましい。
【００２４】
このようにして図７に示すように、残置したアンカーボルト１０上に新設の支柱３Ａを立設し、この支柱３Ａ間に上部レール５Ａおよび下部レール５Ｂなどを渡設することにより防護柵１Ａへの取替えが完了する。
【００２５】
実施例２
次に、地覆コンクリート幅が狭い場合の設置例を図８（イ）（ロ）（ハ）にそれぞれ示す。
前記図２（イ）（ロ）（ハ）で示したように、地覆コンクリート２上に突出する既設のアンカーボルト１０を溶断し、窪み部２３内にモルタル１２を充填して地覆コンクリート２の上面と同一面となるように覆設する。
【００２６】
そこで図８（ハ）で示すように、地覆コンクリート２の残置されたアンカーボルト１０の両側位置に設けたアンカーボルト設置穴７に２個のアンカーボルト１０Ａを前記図４（イ）（ロ）（ハ）で示す施行手順によって配置する。
【００２７】
次に、図８（イ）で示すように、前記アンカーボルト１０Ａに対して前記地覆コンクリート２の後方へ張り出した状態で支柱接合プレート１５を設置するものであり、この支柱接合プレート１５の底面には、前記地覆コンクリート２の壁面に当接される支持板１６が直角状に突設され、更に該支持板１６と支柱接合プレート１５の後端に渡って補強リブ１７が設けられるものである。そして前記支柱接合プレート１５前部側にはアンカーボルト１０Ａが挿通可能としたアンカーボルト挿通用長穴１４Ａが貫設され、前記支柱接合プレート１５後部側には、支柱との接合を行うための締結用長穴１８が貫設される。
【００２８】
ここで、支柱接合プレート１５を前記アンカーボルト１０Ａに支柱接合プレート１５前部側に貫設されるアンカーボルト挿通用長穴１４Ａを挿通した状態で地覆コンクリート２上に設置する。これにより前記支柱接合プレート１５は、地覆コンクリート２後方に張り出した状態で設置されることになり、この支柱接合プレート１５上に支柱３Ａのプレート板１３を積重し、ボルト・ナットなどの締結部材１９によって接合することにより防護柵１Ａの取替えが可能となる。
【００２９】
実施例３
次に、地覆コンクリート幅が狭く、該地覆コンクリート上面に防護柵を設置できない場合の設置例を図９（イ）（ロ）にそれぞれ示す。
この場合には、地覆コンクリート上に設置された既設の防護柵は、図２において前述した手順によって取外し、地覆コンクリート２上に突出する既設のアンカーボルト１０の溶断し、窪み部２３内にモルタル１２を充填して地覆コンクリート２の上面と同一面となるように覆設する。
【００３０】
そして図９（イ）で示すように、地覆コンクリート２の橋梁の外側の壁面に対して図４（イ）（ロ）（ハ）において詳述したように、アンカーボルト設置穴７を穿孔し、４個のアンカーボルト１０Ａを埋め込むものである。
なお、前記アンカーボルト設置穴７を穿孔する場合には、地覆コンクリート２内に残置されたアンカーボルト１０に当接しないように、該アンカーボルト１０の周囲に穿孔し、新たなアンカーボルト１０Ａを取り付けるものとする。
【００３１】
ここで、前記アンカーボルト１０Ａに対して締結固定される支柱接合プレート１５Ａを地覆コンクリート２の橋梁の外側の壁面に取り付けるものであり、この支柱接合プレート１５Ａは９０度に折り曲げ形成される壁面接合板２０との間に補強リブ１７が設けられ、この壁面接合板２０にはアンカーボルト挿通用長穴１４Ａが貫設されるとともに、支柱接合プレート１５Ａには支柱との接合を行うための締結用長穴１８が貫設される。
【００３２】
したがって、前記支柱接合プレート１５Ａを地覆コンクリート２の橋梁の外側の壁面に取り付けられるアンカーボルト１０Ａとボルト・ナットなどの締結部材１９によって取付けることによって、支柱接合プレート１５Ａが地覆コンクリート２の外側へ張り出した状態となる。
【００３３】
そして前記支柱接合プレート１５Ａ上に、支柱３Ａのプレート板１３を積重し、ボルト・ナットなどの締結部材１９によって接合することにより防護柵１Ａの取替えが可能となる。
【００３４】
実施例４
次に、防護柵がアルミニウム合金などの軽金属製の場合の設置例を図１０（イ）（ロ）（ハ）でそれぞれ示す。
【００３５】
ここで、防護柵１Ａがアルミニウム合金などの軽金属製の場合にはプレート板１３と、このプレート板１３に突設される支柱補助部２１はアルミ合金の溶接強度に問題があるために鋼製とされることが多い。この支柱補助部２１にアルミニウム合金製の防護柵１Ａの支柱３Ａが嵌め入れられて、結合用ボルト２２によって強固に連結される構成とされる。
【００３６】
地覆コンクリート上に設置された既設の防護柵は、図２において前述した手順によって取外し、地覆コンクリート２上に突出する既設のアンカーボルト１０を溶断し、窪み部２３内にモルタル１２を充填して地覆コンクリート２の上面と同一面となるように覆設する。
【００３７】
そして図１０（ロ）で示すように、地覆コンクリート２の残置アンカーボルト１０の周囲の上面に対して図４（イ）（ロ）（ハ）において詳述したように、アンカーボルト設置穴７を穿孔し、２個の新たなアンカーボルト１０Ａを埋め込むものである。
【００３８】
まず、図１０（イ）（ロ）で示すように、地覆コンクリート２に埋設されるアンカーボルト１０Ａに対して前記地覆コンクリート２の後方へ張り出した状態で支柱接合プレート１５を設置するものであり、この支柱接合プレート１５の底面には、前記地覆コンクリート２の壁面に当接される支持板１６が直角状に突設され、さらに該支持板１６と支柱接合プレート１５の後端に渡って補強リブ１７が設けられるものである。そして前記支柱接合プレート１５前部側にはアンカーボルト１０Ａが挿通可能としたアンカーボルト挿通用長穴１４Ａが貫設される。
【００３９】
そこで図１０（イ）で示すように、に支柱接合プレート１５前部側に貫設されるアンカーボルト挿通用長穴１４Ａを前記アンカーボルト１０Aに挿通した状態で地覆コンクリート２上に設置する。これにより前記支柱接合プレート１５は、地覆コンクリート２後方に張り出した状態で設置されることになる。
【００４０】
この支柱接合プレート１５上に、支柱３Ａのプレート板１３を積重し、ボルト・ナットなどの締結部材１９によって接合する。そして該プレート板１３に突設される支柱補助部２１にアルミニウム合金製の防護柵１Ａの支柱３Ａが嵌め入れられて、結合用ボルト２２によって連結されることにより防護柵１Ａの取替えが可能となる。
【００４１】
なお、本実施例ではアンカーボルトの取付けを４個、あるいは２個とするものであるが、必ずしも４個、あるいは２個とする必要性はなく、既設の地覆コンクリート内の鉄筋の位置やコンクリートの強度の状況に応じて本数を決定することが望ましい。
【００４２】
以上の構成よりなる本発明の既設の橋梁用防護柵の取替え工法では、既設の防護柵を取外し、既設のアンカーボルトを切断して錆び止め、プライマー処理を行った後に、モルタル１２を充填して地覆コンクリート２の上面と同一面となるように覆設し、その周囲に新たなアンカーボルトを埋め込むことにより残置したアンカーボルト上に通常の防護柵と何ら変わらない防護柵の取替え施行が可能となる。
【００４３】
また、実施例２において詳述したように既設の地覆コンクリート幅が狭い場合には、地覆コンクリート上に橋梁の外側へ張り出すような支持接合プレートを取り付けることにより、防護柵の取替え施工が可能となる。
【００４４】
また、実施例３において詳述したように地覆コンクリート幅が狭く、該地覆コンクリート上面に防護柵を設置できない場合には、地覆コンクリートの橋梁外側の壁面に、地覆コンクリート内の鉄筋を避けるようにアンカーボルトを埋め込み、該アンカーボルトによる締結固定によって地覆コンクリートの背面側へ張り出すように支柱接合プレートを取り付けることにより、防護柵の取替え施工が可能となる。
【図面の簡単な説明】
【００４５】
【図１】本発明を適用した既設の橋梁用防護柵の取替え工法における既設の防護柵の取り付け状態を示す説明図である。
【図２】本発明を適用した既設の橋梁用防護柵の取替え工法における既設の防護柵を取外し、アンカーボルトを切断するまでの説明図である。
【図３】図２におけるアンカーボルト設置穴の穿孔位置を示す説明図である。
【図４】本発明を適用した既設の橋梁用防護柵の取替え工法におけるアンカーボルト設置穴にアンカーボルトを埋設する工程を示す説明図である。
【図５】図２におけるアンカーボルト設置穴に新たなアンカーボルトを設置した状態を示す説明図である。
【図６】既設の地覆コンクリート上面に新設の防護柵の支柱を取り付ける状態を示す説明図である。
【図７】図５における新設の防護柵の支柱に各レール等を取り付けて取替えが完了した状態を示す説明図である。
【図８】本発明を適用した既設の橋梁用防護柵の取替え工法において、地覆コンクリート幅が狭い場合の設置例を示す説明図である。
【図９】本発明を適用した既設の橋梁用防護柵の取替え工法において、地覆コンクリート幅が狭く、該地覆コンクリート上面に防護柵を設置できない場合の設置例を示す説明図である。
【図１０】本発明を適用した既設の橋梁用防護柵の取替え工法において、防護柵がアルミニウム合金などの軽金属製の場合の設置例を示す説明図である。
【図１１】従来の防護柵の設置例を示す説明図である。
【図１２】既設の橋梁用防護柵の取替えの工法の一例を示す説明図である。
【符号の説明】
【００４６】
１、１Ａ      防護柵
２            地覆コンクリート
３、３Ａ      支柱
４            ベース板
５            レール
６            残置穴
７            アンカーボルト設置穴
９            硬化剤
１０          既設のアンカーボルト
１０Ａ          新設のアンカーボルト
１１          電動ハンマードリル
１２          モルタル
１３          プレート板
１４          支柱のアンカーボルト挿通用長穴
１４Ａ          支柱接合プレートのアンカーボルト挿通用長穴
１５、１５Ａ  支柱接合プレート
１６          支持板
１７          補強リブ
１８          締結用長穴
１９          締結部材
２０          壁面接合板
２１          支柱補助部
２２          結合用ボルト
２３          窪み部
【図１】
2008223332.tif 000003
【図２】
2008223332.tif 000004
【図３】
2008223332.tif 000005
【図４】
2008223332.tif 000006
【図５】
2008223332.tif 000007
【図６】
2008223332.tif 000008
【図７】
2008223332.tif 000009
【図８】
2008223332.tif 000010
【図９】
2008223332.tif 000011
【図１０】
2008223332.tif 000012
【図１１】
2008223332.tif 000013
【図１２】
2008223332.tif 000014